(57)【要約】【課題】貯蔵室の底壁にシール部を設けることなく、貯蔵室の開口部周縁からの熱の浸入を抑制することができる冷蔵庫を提供する。【解決手段】回転扉７は冷蔵室３の前面開口部を開閉する。回転扉７の背面部に取り付けられた収納ポケット１３の外底面に突起部１３ｂを設けた。この突起部１３ｂは、冷蔵室３の底面側に近接して突出されており、回転扉７側からの侵入熱が、冷蔵室３内側に伝達されるのを抑制する位置に設けられている。【選択図】図１
2011179765.tif 000002
【特許請求の範囲】
【請求項１】
冷気の供給を受けて冷却される貯蔵室と、
前記貯蔵室の前面開口部を開閉する扉と、
前記扉に取り付けられ前記扉の開閉とともに出し入れされる貯蔵容器と、
前記扉背面部と前記貯蔵室の前面開口部周縁との間をシールするガスケットと、
前記貯蔵容器の外底部から貯蔵室の底面側に近接して突出された突起部と、を設け、
前記突起部は、前記貯蔵容器の下面側にあって、前記扉側からの浸入熱を前記貯蔵室内側に伝達するのを抑制する位置に設けたことを特徴とする冷蔵庫。
【請求項２】
扉は横開きタイプの回転扉であることを特徴とする請求項１に記載の冷蔵庫。
【請求項３】
扉は前後方向に出し入れ可能な引き出し扉であることを特徴とする請求項１に記載の冷蔵庫。
【請求項４】
突起部は、貯蔵容器の外底部外周に沿って設けたことを特徴とする請求項１記載の冷蔵庫。
【請求項５】
突起部は、貯蔵容器とは別部材の弾性材料にて形成したことを特徴とする請求項１記載の冷蔵庫。
【発明の詳細な説明】
【技術分野】
【０００１】
本発明は、外部から貯蔵室への熱の浸入を抑制し冷却効率を改善するようにした冷蔵庫に関する。
【背景技術】
【０００２】
近年、冷蔵庫の消費電力量の低減を図るため、冷却制御の改善だけでなく冷蔵庫本体の断熱構造についても種々の技術施策が検討実施されている。その中でも、貯蔵室への熱の浸入を抑制することは、冷蔵庫の冷却効率の改善に大きく貢献する。例えば、この貯蔵室の扉側の開口部周縁から熱が浸入し易く、これを抑制することは、冷蔵庫全体の冷却効率を向上する上で重要である。
【０００３】
そこで、貯蔵室の底壁に、上方に突出する可撓性のシール部を設け、扉が閉じると、この扉に取り付けられている貯蔵容器の下端や底面が該シール部に接して摺動し、閉扉時には、前記貯蔵容器の下面側にあって、前記扉側の空間と前記貯蔵室の奥部側の空間とを前記シール部により隔絶し、前記貯蔵室の開口部周縁から熱の浸入を抑制可能とするものが開示されている（例えば、特許文献１参照）。
【先行技術文献】
【特許文献】
【０００４】
【特許文献１】特開２００７−１８３０７３号公報
【発明の概要】
【発明が解決しようとする課題】
【０００５】
しかし、上述の構成では、貯蔵室の底壁に、上方に突出するシール部が一体的に設けられているため、貯蔵室底部のゴミ等を清掃する場合に、シール部が邪魔になり清掃がしにくいという問題があった。
【０００６】
本発明は上記事情に鑑みてなされたもので、その目的は、貯蔵室の底壁にシール部を設けることなく、貯蔵室の扉側である開口部周縁からの熱の浸入を抑制することができ、冷却効率を改善できる冷蔵庫を提供することにある。
【課題を解決するための手段】
【０００７】
上記目的を達成するために、本願発明に係る冷蔵庫は、冷気の供給を受けて冷却される貯蔵室と、前記貯蔵室の前面開口部を開閉する扉と、前記扉に取り付けられ前記扉の開閉とともに出し入れされる貯蔵容器と、前記扉背面部と前記貯蔵室の前面開口部周縁との間をシールするガスケットと、前記貯蔵容器の外底部から貯蔵室の底面側に近接して突出された突起部と、を設け、前記突起部は、前記貯蔵容器の下面側にあって、前記扉側からの浸入熱を前記貯蔵室内側に伝達するのを抑制する位置に設けたことを特徴とする（請求項１の発明）。
【発明の効果】
【０００８】
上記構成によれば、突起部を、貯蔵容器の下面側にあって、扉側からの浸入熱を貯蔵室内側に伝達するのを抑制する位置に設けた。このため、侵入熱を抑制でき冷蔵庫の冷却効率を改善することができる。また、扉の開閉と連動する貯蔵容器の外底部に突起部を設けたため、この突起部が貯蔵室底部の清掃の邪魔になることはない。
【図面の簡単な説明】
【０００９】
【図１】本発明の一実施例に係る冷蔵庫の図２中に示すＸ部分の拡大断面図
【図２】冷蔵庫全体の外観側面図
【図３】収納ポケットの全体斜視図
【図４】野菜室を縦断して示す拡大側面図
【発明を実施するための形態】
【００１０】
以下、本発明の一実施例について図１から図４を参照して説明する。
図２に示すように、冷蔵庫本体１の断熱箱体２は、薄鋼板製の外箱２ａとプラスチック製の内箱２ｂとの間に発泡断熱材２ｃを充填して形成されている。この冷蔵庫本体１の内部には、例えば、上方から冷蔵室３、冷凍室４、そして製氷室５と小冷凍室（図示せず）とを左右に併設し、最下部に野菜室６を配設している。このうち、冷蔵室３及び野菜室６は、冷蔵温度帯の貯蔵室を構成し、冷凍室４、製氷室５及び前記小冷凍室は、冷凍温度帯の貯蔵室を構成するものである。これら冷蔵室３や冷凍室４などは、それぞれ適正な温度に制御されている。
【００１１】
冷蔵室３の前面開口部３ａは、横開きタイプの回転扉（扉）７によって開閉される。回転扉７の背面部周縁にはガスケット８が設けられている。回転扉７の閉扉時には、ガスケット８は、回転扉７の背面部と冷蔵室３の前面開口部３ａ周縁との間を気密にシールする。回転扉７は、上側ヒンジ９及び下側ヒンジ１０にて右端部が軸支され、冷蔵庫本体１に回動可能に取り付けられている。回転扉７の背面部には、冷蔵室３内に収容される上から順に上段ドアポケット１１、下段ドアポケット１２、及び収納ポケット（貯蔵容器）１３が取り付けられており、回転扉７の開閉とともに出し入れされる。
【００１２】
以下に図１を用いて、図２中のＸ部分の具体構成について説明する。
回転扉７は、外枠を構成するサッシ２２、前面側を構成する外板２３及び背面側を構成する内板２４を備え、内板２４は、冷蔵室３の内部を臨む。外板２３と内板２４との間には発泡断熱材２５が充填されている。内板２４の周縁部には、取付凹溝２６が設けられ、この取付凹溝２６にガスケット８が装着される。ガスケット８はマグネット部８ａを有している。回転扉７の閉扉時には、マグネット部８ａが、冷蔵室３の前面開口部３ａ周縁の外箱２ａの開口部前面に吸着することで、回転扉７の背面部と冷蔵室３の前面開口部３ａ周縁との間を気密にシールする。
【００１３】
冷蔵室３と冷凍室４とを仕切る仕切壁２８は、冷蔵室３の底部を形成する。仕切壁２８に充填されている発泡断熱材２ｃ、２ｄは内箱２ｂの一部をなす仕切部材２８ａにより前後に仕切られている。仕切壁２８の前端部に充填されている発泡断熱材２ｄ内部には、冷蔵室３の前面開口部３ａに対してガスケット８の吸着部より離れた位置に、防露パイプ２９が仕切壁２８を幅方向に横断するように配設されている。防露パイプ２９は外箱２ａに熱伝導することで、冷蔵室３の前面開口部３ａ周縁が結露するのを防止している。
【００１４】
回転扉７の内板２４には、取付凹溝２６の内側周縁にあって、枠状のビード部２７が冷蔵室３内に向かって突出形成されている。収納ポケット本体１３ａはプラスチック製で、同じくプラスチック製のビード部２７の内側に着脱可能に嵌合保持され（図示せず）、その底面をビード部底面２７ａに支持されることにより、回転扉７の背面部に収納ポケット１３が設けられる。収納ポケット本体１３ａは、背面と上面とが開口された矩形箱状をなす（図３参照）。収納ポケット１３の外底部外周には、冷蔵室３の底面側に近接して突出された突起部１３ｂが一体に設けられている。
【００１５】
この結果、収納ポケット１３の突起部１３ｂの大部分、少なくとも奥側の部位は、防露パイプ２９より冷蔵室３の奥側に位置している。また、同様に突起部１３ｂの奥側部位は、発泡断熱材２ｄより奥側で、且つ発泡断熱材２ｃ、２ｄの仕切部材２８ａより奥側に位置した配置構成となる。
【００１６】
一方、図４に示すように野菜室６の前面開口部６ａは、前後方向に出し入れ可能な引き出し扉（扉）１４によって開閉される。引き出し扉１４の背面部周縁には前記ガスケット８と同形態のガスケット１５が設けられている。引き出し扉１４の閉扉時には、ガスケット１５は、引き出し扉１４の背面部と野菜室６の前面開口部６ａ周縁との間を気密にシールする。野菜室６内側の左右両側部には前後方向に延びるスライドレール１６が取り付けられており、引き出し扉１４の背面部には、スライドレール１６の前端部と野菜ケース（貯蔵容器）１７とが連結されている。野菜ケース１７は、プラスチック製で上面が開放された矩形箱状であり、スライドレール１６に支持され、引き出し扉１４の前後方向の移動とともに野菜ケース１７は出し入れされる。
【００１７】
図４に示すように、野菜ケース１７の下面にあって、引き出し扉１４側の空間と野菜室６の奥側の空間とを遮断するように、野菜室６の底面側に近接して突出された突起部１７ａが、野菜ケース１７と一体に設けられている。野菜室６の底壁６ｂの前端部の発泡断熱材２ｃ内部には、野菜室６の前面開口部６ａに対してガスケット１５の吸着部より離れた位置に、防露パイプ３０が底壁６ｂを幅方向に横断するように配設されている。防露パイプ３０は、前記防露パイプ２９と同形態をなし、外箱２ａに熱伝導することで、野菜室６の前面開口部６ａ周縁が結露するのを防止している。
【００１８】
図２に開示した冷凍室４、製氷室５の前面開口部４ａ、５ａも、野菜室６の前面開口部６ａと同様に、前後方向に出し入れ可能な引き出し扉１８、１９によって開閉され、これら引き出し扉１８、１９の背面部周縁にはガスケット２０、２１が設けられている。引き出し扉１８、１９の閉扉時には、ガスケット２０、２１は、引き出し扉１８、１９の背面部と冷凍室４、製氷室５の前面開口部４ａ、５ａ周縁との間を気密にシールする。
【００１９】
次に、上記構成の作用効果について説明する。
図１中、矢印Ａ、Ｂに示すように、冷蔵庫本体１の外部からの熱（外気温度）が、回転扉７の外板２３、サッシ２２、内板２４を伝達して冷蔵室３に浸入した場合、この浸入熱は、収納ポケット１３の突起部１３ｂにより遮断され、冷蔵室３の奥側への熱伝達が抑制される。また、突起部１３ｂの奥側部位は、防露パイプ２９、発泡断熱材２ｄ及び仕切部材２８ａより冷蔵室３の奥側に位置している。このため、仕切壁２８の前面部も外気にさらされているとともに、防露パイプ２９が発する熱も加えて、矢印Ｃ、Ｄに示すように、外箱２ａ、内箱２ｂを伝達して冷蔵室３に浸入した場合も、この浸入熱は、突起部１３ｂに遮断され、冷蔵室３の奥側への熱伝達が抑制される。
【００２０】
一方、冷蔵室３内の冷熱は、収納ポケット１３の突起部１３ｂにより遮断され、この冷熱の前面開口部３ａから外部への漏洩が抑制される。
図４中、矢印Ｅ、Ｆに示すように、冷蔵庫本体１の外部からの熱が、引き出し扉１４を伝達して野菜室６に浸入した場合、この浸入熱は、野菜ケース１７の突起部１７ａにより遮断され、野菜室６の内側への熱伝達が抑制される。さらに、防露パイプ３０が発する熱が、矢印Ｇに示すように、外箱２ａ、内箱２ｂを伝達して野菜室６に浸入した場合も、この浸入熱は、野菜ケース１７の突起部１７ａに遮断され、野菜室６の内側への熱伝達が抑制される。
【００２１】
なお、防露パイプ３０が底壁６ｂの前面部に配設されていない構成の冷蔵庫であっても、冷蔵庫本体１の外部からの熱（外気温度）が、矢印Ｇに示すように、外箱２ａ、内箱２ｂを伝達して野菜室６に浸入する場合も想定され、この浸入熱も、野菜ケース１７の突起部１７ａに遮断され、野菜室６の奥側への熱伝達が抑制される。
【００２２】
一方、野菜室６内の冷熱は、野菜ケース１７の突起部１７ａにより遮断され、この冷熱の前面開口部６ａから外部への漏洩が抑制される。
上述のように、収納ポケット１３、野菜ケース１７にそれぞれ突起部１３ｂ、１７ａを設けることにより、冷蔵室３、野菜室６への浸入熱を抑制することができ、冷蔵庫の熱効率を改善することができる。
【００２３】
また、プラスチック製の収納ポケット１３、野菜ケース１７に、突起部１３ｂ、１７ａを一体に形成することは容易で、製造コストの面で有利である。但し、突起部１３ｂ、１７ａは、収納ポケット１３、野菜ケース１７とは別部材にして、弾性材料で形成してもよい。この場合、突起部１３ｂ、１７ａが、仮に冷蔵室３、野菜室６の底面に擦れるようなことがあっても、不快音やひび割れ等破損の虞がない。
【００２４】
さらに、突起部１３ｂ、１７ａを、冷蔵室３、野菜室６の底面ではなく、収納ポケット１３、野菜ケース１７に設けたため、突起部１３ｂ、１７ａが、冷蔵室３、野菜室６の底面清掃の邪魔になることがない。
【００２５】
なお、本発明は上記した実施例に限定されるものではなく、本願発明の要旨を逸脱しない範囲で適宜変更して実施できる。
例えば、冷蔵庫本体１の貯蔵室を構成する冷蔵室３、冷凍室４、製氷室５、前記小冷凍室、及び野菜室６の位置や配置、ならびに貯蔵室の数などは、上述した実施例に限るものではなく、任意に変更することができる。
【００２６】
また、本発明の適用は一般家庭用の冷蔵庫に限定されず、業務用の冷蔵庫若しくは冷凍庫にも適用可能である。
【符号の説明】
【００２７】
図面中、３は冷蔵室（貯蔵室）、３ａは前面開口部、６は野菜室（貯蔵室）、６ａは前面開口部、７は回転扉（扉）、８、１５はガスケット、１３は収納ポケット（貯蔵容器）、１３ｂ、１７ａは突起部、１４は引き出し扉（扉）、１７は野菜ケース（貯蔵容器）を示す。
【図１】
2011179765.tif 000003
【図２】
2011179765.tif 000004
【図３】
2011179765.tif 000005
【図４】
2011179765.tif 000006